(57)【要約】【課題】  吸収性物品を装着する着用者の快適性を向上させる。【解決手段】  吸収性物品１は、吸水性をもつマット状の吸収体１０を備える。この吸収体１０には、平面視で長手方向および幅方向の双方に交差して圧搾された溝状の圧搾部４０と、平面視で圧搾部４０に交差して延在する着用者へのフィット用の一または複数の追従部５０とが設けられる。【選択図】図１
2018110853.tif 000002
【特許請求の範囲】
【請求項１】
吸水性をもつマット状の吸収体を備えた吸収性物品において、
前記吸収体に設けられ、平面視で長手方向および幅方向の双方に交差して圧搾された溝状の圧搾部と、
前記吸収体に設けられ、平面視で前記圧搾部に交差して延在する着用者へのフィット用の一または複数の追従部と
を備えた吸収性物品。
【請求項２】
前記追従部は、他の領域よりも剛性が低い低剛性部を有する
請求項１に記載された吸収性物品。
【請求項３】
前記追従部は、着用者への装着時に折り曲げられることが想定される所定の箇所に配置された
請求項１または２に記載された吸収性物品。
【請求項４】
前記追従部は、前記長手方向の中央よりも一端側に配置された
請求項１〜３の何れか１項に記載された吸収性物品。
【請求項５】
前記追従部は、前記長手方向の中央よりも他端側に配置された
請求項４に記載された吸収性物品。
【請求項６】
前記追従部は、前記長手方向の中央に配置された
請求項１〜５の何れか１項に記載された吸収性物品。
【請求項７】
前記追従部は、溝状の溝状部を有する
請求項１〜６の何れか１項に記載された吸収性物品。
【請求項８】
前記追従部は、前記吸収体を厚み方向に貫通するスリット部を有する
請求項１〜７の何れか１項に記載された吸収性物品。
【請求項９】
前記追従部は、前記追従部以外の領域よりも目付量の抑えられた低目付領域を有する
請求項１〜８の何れか１項に記載された吸収性物品。
【請求項１０】
前記圧搾部は、平面視で前記長手方向および前記幅方向に対して、一方に傾斜して交差する第一傾斜部と、他方に傾斜して交差する第二傾斜部とを有する
請求項１〜９の何れか１項に記載された吸収性物品。
【請求項１１】
前記第一傾斜部および前記第二傾斜部の少なくとも一方が複数設けられた
請求項１０に記載された吸収性物品。
【請求項１２】
一または複数の前記追従部は、平面視で前記第一傾斜部と前記第二傾斜部とが交差する
位置を含むように設けられた、
請求項１０または１１に記載された吸収性物品。
【請求項１３】
前記吸収体が上層吸収体と下層吸収体とが積層されて構成されており、前記追従部が前記上層吸収体および前記下層吸収体の少なくとも何れか一方に設けられている
請求項１〜１２の何れか１項に記載された吸収性物品。
【請求項１４】
前記追従部は、前記幅方向に沿う第一追従部と前記長手方向に沿う第二追従部とを有する
請求項１〜１３の何れか１項に記載された吸収性物品。
【請求項１５】
平面視で前記第一追従部と前記第二追従部とが交差して設けられた
請求項１４に記載された吸収性物品。
【請求項１６】
前記吸収体は、前記追従部に対して前記幅方向の外側に位置する外領域のほうが他の領域よりも吸収性樹脂の含有度合いが大きい
請求項１〜１５の何れか１項に記載された吸収性物品。
【請求項１７】
前記吸収体に対して積層され、第一層および第二層を少なくとも有するシートを備え、
前記シートは、前記第一層と前記第二層とを部分的に結合した箇所が平面視で前記圧搾部に交差して延在する、着用者へのフィット用の補助追従部を有する
請求項１〜１６の何れか１項に記載された吸収性物品。
【発明の詳細な説明】
【技術分野】
【０００１】
本件は、紙おむつや生理用ナプキンといった吸収性物品に関する。
【背景技術】
【０００２】
従来、装着時に着用者の腹部側と背部側とを結ぶ長手方向に延びる吸収体の設けられた吸収性物品が知られている。この吸収性物品では、着用者から排泄される尿や経血などの水分が吸収体で吸収される。近年の吸収性物品では、着用者へのフィット性を高めるため、長手方向および幅方向の双方に交差する格子形状の溝を吸収体に設けることも提案されている（特許文献１参照）。
【先行技術文献】
【特許文献】
【０００３】
【特許文献１】特開2014-198113号公報
【発明の概要】
【発明が解決しようとする課題】
【０００４】
しかしながら、吸収体に上述したような溝が設けられた吸収性物品は、その溝を折り目とする方向へは折れ曲がりやすいものの、他の方向へは折れ曲がりにくく、着用者へのフィット性の低下を招くおそれがある。よって、着用者の快適性を高めるうえで改善の余地がある。
【０００５】
本件は、上記のような課題に鑑みて創案されたものであり、吸収性物品を装着する着用者の快適性を向上させることを目的の一つとする。なお、ここでいう目的に限らず、後述する「発明を実施するための形態」に示す各構成から導き出される作用および効果であって、従来の技術では得られない作用および効果を奏することも、本件の他の目的として位置づけることができる。
【課題を解決するための手段】
【０００６】
ここで開示する吸収性物品は、吸水性をもつマット状の吸収体を備える。前記吸収体には、平面視で長手方向および幅方向の双方に交差して圧搾された溝状の圧搾部と、平面視で前記圧搾部に交差して延在する着用者へのフィット用の一または複数の追従部とが設けられる。
【発明の効果】
【０００７】
本件によれば、吸収性物品を装着する着用者の快適性を向上させることができる。
【図面の簡単な説明】
【０００８】
【図１】第一実施形態に関する紙おむつ（吸収性物品）の展開図である。
【図２】図１のＡ−Ａ矢視断面図である。なお、図２では、各構成を把握しやすくするため、各シート類の厚みを誇張して示す。
【図３】第一実施形態に関する紙おむつの吸収体を示す平面図である。
【図４】第二実施形態に関する紙おむつの吸収体を示す平面図である。
【図５】第三実施形態に関する紙おむつの吸収体の要部を示す平面図である。
【図６】第三実施形態に関する紙おむつのトップシート（シート）を模式的に示す要部拡大断面図である。
【発明を実施するための形態】
【０００９】
以下、本件を実施するための形態を説明する。下記の実施形態はあくまでも例示に過ぎず、この実施形態で明示しない種々の変形や技術の適用を排除する意図はない。本実施形態の各構成は、その趣旨を逸脱しない範囲で種々変形して実施することができる。また、必要に応じて取捨選択することができ、適宜組み合わせることもできる。
【００１０】
実施形態で述べる吸収性物品は、着用者に装着され、着用者から排泄される尿や経血といった液体の水分を吸収し保持する衛生用品である。この吸収性物品には、テープ型やパンツ型の紙おむつ（いわゆる「使い捨ておむつ」）といった吸収体を備えた吸収性物品のほか、尿パッド，生理用ナプキン，パンティーライナーといった吸収体のみを備えた吸収性物品なども含まれる。以下の実施形態では、吸収性物品としてパンツ型の紙おむつを例示する。
【００１１】
本実施形態では、紙おむつについて、着用者の腹部に対向して配置される前身頃と背部に対向して配置される後身頃とを結ぶ方向を長手方向とする。これらの前身頃と後身頃との間（長手方向の中央）には、着用者の股下に配置（股間に対向して配置）される股下部が位置する。また、紙おむつが着用者に装着された状態（以下「装着状態」と略称する）において、着用者の肌に向かう側（内側）を肌面側とし、肌面側の反対側（外側）を非肌面側とする。さらに、肌面側と非肌面側とを結ぶ方向を厚み方向とし、長手方向と厚み方向の何れにも直交する方向を幅方向とする。そのほか、厚み方向から視ることを平面視とする。
【００１２】
紙おむつにおける各構成の向きについては、たとえば長手方向に沿うと表現する場合に、長手方向と平行なことだけでなく、ほぼ長手方向と平行なことも含むものとする。具体的には、長手方向に対する傾斜角度が４５°未満で延在することを長手方向に沿うものとする。同様に、幅方向や厚み方向といった各方向に沿うと表現する場合についても、各方向に対する傾斜角度が４５°未満で延在することを意味する。
【００１３】
［Ｉ．第一実施形態］
［１．構成］
［１−１．基本構成］
まず、図１および図２を参照して、紙おむつ１の基本的な構成を説明する。
ここでは、幅方向の中心線Ｃを基準として対称に紙おむつ１が形成されている。この紙おむつ１は、長手方向に沿って前身頃１Ａ、股下部１Ｂおよび後身頃１Ｃの三つの領域に大別される。
【００１４】
〈シート類〉
はじめに、紙おむつ１のシート類について述べる。
図１に示すように、紙おむつ１には、前身頃１Ａ、股下部１Ｂおよび後身頃１Ｃに亘って長手方向に延びる吸収体１０（太破線で示す）が内蔵されている。
ここでは、前身頃１Ａおよび後身頃１Ｃよりも股下部１Ｂのほうが幅方向寸法の小さい砂時計形状の吸収体１０を例示する。ただし、吸収体１０の平面視形状は、上記したような砂時計形状に限らず、平面視で矩形（すなわち幅方向寸法が一定）であってもよいし、前身頃１Ａおよび後身頃１Ｃのそれぞれの円どうしを結ぶダンベル形状であってもよい。
【００１５】
吸収体１０は、着用者から排泄される尿や経血といった液体の水分（以下「排泄水分」という）を吸収して保持する吸水性をもつマット状（あるいはパッド状）の部材である。
この吸収体１０では、粉砕あるいは解繊されたパルプ（いわゆる「フラッフパルプ」）に高吸水性樹脂（いわゆる「ＳＡＰ〈Superabsorbent polymer〉」，「高吸水性高分子」あるいは「高吸水性ポリマー」とも称される）が混合されたマットが親水性の不織布やティシュなどで被包（ラップ）されている。
【００１６】
上記した吸収体１０に対して肌面側および非肌面側には、図２に示すとともに以下に述べる種々のシート１１，１２，１３，１４が設けられている。
吸収体１０に対して、肌面側にはセンターシート１１が積層され、非肌面側にはバックシート１２が積層されている。これらのシート１１，１２の幅方向側方にはサイドシート１３が配置されている。
【００１７】
このサイドシート１３は、センターシート１１の幅方向側部において肌面側に積層されるとともに、バックシート１２の幅方向側部において非肌面側に積層される。
バックシート１２の非肌面側には、カバーシート１４が積層される。ここでは、バックシート１２の幅方向側部において、サイドシート１３を介してカバーシート１４が重ねられる。
【００１８】
センターシート１１は、排泄水分を透過させて吸収体１０に吸収させるため、透水性をもつ。ここでは、装着状態での蒸れを抑えるため、通気性を併せもつセンターシート１１が用いられる。このようなセンターシート１１としては、いわゆるエアスルー不織布を用いることができる。
また、センターシート１１は、紙おむつ１において最も肌面側に配置される（このことから「トップシート」とも称される）。このセンターシート１１は、吸収体１０よりも幅方向寸法が大きく、肌面側から吸収体１０を被覆する。
【００１９】
バックシート１２は、吸収体１０からの液漏れを防ぐため、非透水性をもつ。ここでは、装着状態での蒸れを抑えるため、透湿性を併せもつバックシート１２が用いられる。このようなバックシート１２としては、透湿性ポリエチレン（PE〈Poly-Ethylene〉）フィルムを用いることができる。ただし、ポリプロピレン（PP〈Poly-Propylene〉）フィルムをバックシート１２に用いてもよい。
【００２０】
サイドシート１３は、幅方向側方への液漏れを防ぐため、非透水性をもつ。このサイドシート１３としては、スパンボンド不織布を用いることができる。
また、サイドシート１３の一部は、紙おむつ１において最も肌面側に配置される（このことからセンターシート１１と同様に「トップシート」とも称される）。このように着用者に対して接触しうるサイドシート１３としては、ＳＭＳ不織布やＳＭＭＳ不織布のようにメルトブローン層を含ませることにより、柔軟性を高めたスパンボンド不織布を用いることが好ましい。あるいは、スパンボンド不織布をなす繊維の繊度や目付量が抑えられることにより、柔軟性を向上させたスパンボンド不織布を用いることが好ましい。
【００２１】
なお、「繊度」とは、繊維の繊維径（太さ）や断面積に対応するパラメータであり、所定の長さあたりの重量で表される。たとえば、一本の繊維について９０００ｍあたりのグラム数［デニール］が「繊度」として用いられる。
また、「目付量」とは、シートの厚みあるいは積層度合いに対応するパラメータであり、単位面積あたりの重量で表される。たとえば、一平米あたりのグラム数が「目付量」として用いられる。
【００２２】
カバーシート１４は、上記した吸収体１０およびシート１１，１２，１３を非肌面側から被覆する。ここでは、カバーシート１４として、肌面側から非肌面側に向けて第一カバーシート１４１，第二カバーシート１４２，第三カバーシート１４３の三つがこの順に積層されている。
第一カバーシート１４１は、バックシート１２を介して吸収体１０を非肌面側から被覆する（このことから「パッドカバーシート」とも称される）。
【００２３】
第二カバーシート１４２および第三カバーシート１４３は、前身頃１Ａおよび後身頃１Ｃ（図１参照）で第一カバーシート１４１よりも幅方向寸法が大きく設定され、装着状態で着用者の臀部や腰，腹などのまわりに配置される。第三カバーシート１４３は、紙おむつ１において最も非肌面側に配置される（このことから、第三カバーシート１４３は「アウターカバーシート」とも称され、第二カバーシート１４２は「インナーカバーシート」とも称される）。
【００２４】
これらのカバーシート１４１，１４２，１４３としては、スパンボンド不織布を用いることができる。更に言えば、第一カバーシート１４１としては、紙おむつ１の内部で柔軟に変形させてフィット性を確保するため、サイドシート１３と同様に、柔軟性の高いスパンボンド不織布を用いることが好ましい。また、第三カバーシート１４３としては、触感（手触り）を確保するため、サイドシート１３と同様に、柔軟性の高いスパンボンド不織布を用いることが好ましい。
【００２５】
図１に示すように、前身頃１Ａにおけるカバーシート１４と後身頃１Ｃにおけるカバーシート１４とは、それぞれの幅方向端縁部１４ａどうしが互いに貼り付けられる（いわゆる「サイドシール」）。このようにして、前身頃１Ａおよび後身頃１Ｃの各カバーシート１４が連設され、パンツ型の紙おむつ１が形成される。
そのほか、上述したバックシート１２およびカバーシート１４には、シート１２，１４に対して肌面側のものが透視可能な程度の半透明性材料が用いられている。
【００２６】
〈ギャザー〉
つぎに、図１および図２を参照して、紙おむつ１のギャザー１５について述べる。
ギャザー１５は、ゴムやポリウレタン，伸縮フィルムといった伸縮性をもつ部材（伸縮性部材）を伸長状態で不織布などのシートの間に挟んでホットメルトなどで固定することによって伸縮性をもたせたシート複合体から構成される。このシート複合体は、伸縮性部材が伸長状態からもと（自然長の状態）に戻ろうとする力（復元力，弾性力）で不織布などのシートに細かな皺が寄った状態となる。ここでは、伸縮性部材として糸状のゴム部材（以下「糸ゴム」と略称する）２０を例示する。
【００２７】
この紙おむつ１には、糸ゴム２０で形成されるギャザー１５として、三種の糸ゴム２１，２２，２３で伸縮性が付与された三種のギャザー１６，１７，１８を例示する。一つは、サイドシート１３の肌面側端縁部が第一糸ゴム２１で皺寄せられた立体ギャザー１６（「サイドギャザー」とも称される）である。もう一つは、第二カバーシート１４２および第三カバーシート１４３（図２参照）が第二糸ゴム２２（一箇所のみに符号を付す）で皺寄せられたタミーギャザー１７である。更にもう一つは、サイドシート１３の非肌面側において幅方向端縁部が第三糸ゴム２３（図１では図示省略）で皺寄せられたセカンド立体ギャザー１８（図１では図示省略）である。
【００２８】
立体ギャザー１６は、サイドシート１３のシート部１３ａ，１３ｂに対して第一糸ゴム２１が伸張状態で一体化されたものである。また、タミーギャザー１７では、第二カバーシート１４２および第三カバーシート１４３に対して第二糸ゴム２２が伸張状態で一体化されたものである。さらに、セカンド立体ギャザー１８は、サイドシート１３の非肌面側の部位に対して第三糸ゴム２３が伸張状態で一体化されたものである。
【００２９】
立体ギャザー１６は、排泄箇所の周縁で着用者に対する追従性を高めることにより、排泄物の幅方向側方への漏れを防ぐために設けられる。
詳細に言えば、図２に示すように、立体ギャザー１６では、サイドシート１３の肌面側における幅方向内側の端縁部に位置するシート部１３ａ，１３ｂが折り曲げられて重ねられる。これらのシート部１３ａ，１３ｂによって、長手方向に延在する第一糸ゴム２１が囲まれている。
【００３０】
言い換えれば、サイドシート１３は、第一糸ゴム２１に対して幅方向内側に内壁シート部１３ａが配置され、第一糸ゴム２１に対して幅方向外側に外壁シート部１３ｂが配置されている。すなわち、サイドシート１３の一部では、二枚のシート部１３ａ，１３ｂが重ね合わせられている。
このようにサイドシート１３のシート部１３ａ，１３ｂが折り曲げられて重ねられた箇所に第一糸ゴム２１が内蔵されることで、肌面側に立設されるとともに伸縮性をもつ立体ギャザー１６が形成される。
なお、図１および図２には、二本の第一糸ゴム２１が設けられた立体ギャザー１６を例示する。ただし、立体ギャザー１６における第一糸ゴム２１の本数は、一本であってもよいし、三本以上であってもよい。
【００３１】
タミーギャザー１７は、着用者の臀部や下腹部に対する追従性を高めるために設けられる。詳細に言えば、タミーギャザー１７では、平織物における縦糸または経糸のように、幅方向に延びる複数の第二糸ゴム２２が、第二カバーシート１４２および第三カバーシート１４３（図２参照）の間に介装されている。
このようにカバーシート１４２，１４３の間に第二糸ゴム２２が内蔵されることで、臀部や下腹部まわりに沿う伸縮性をもつタミーギャザー１７が形成される。
【００３２】
セカンド立体ギャザー１８は、股下部１Ｂで追従性を高めるために設けられる。詳細に言えば、セカンド立体ギャザー１８では、サイドシート１３の非肌面側における幅方向外側の端縁部に第三糸ゴム２３が設けられる。このようにサイドシート１３において幅方向外側の端縁部に第三糸ゴム２３が内蔵されることで、股下部１Ｂに沿う伸縮性をもつセカンド立体ギャザー１８が形成される。
そのほか、上述したギャザー１６，１７，１８に加えてまたは替えて、着用者の脚部の付け根に対する追従を高めるためのレッグギャザーを設けてもよい。
【００３３】
〈インジケータ〉
さらに、紙おむつ１には、図２に示すように、排尿（排泄）の有無を外部に示すインジケータ１９（このことから「お知らせサイン」とも称される）が設けられている。
インジケータ１９は、紙おむつ１の外部から視認可能（外観可能）に吸収体１０に対して付設されている。また、インジケータ１９は、濡れると変色する層状の部位である。ここでは、吸収体１０とバックシート１２との間にインジケータ１９が介装されている。
【００３４】
このインジケータ１９は、水感応型の材料がバックシート１２の肌面側に塗布されることで設けられる。たとえば、インジケータ１９は、水分と感応する前（濡れる前）には黄色や橙色をなし、水分と感応した後（濡れた後）には青色や黄緑に色が変化する。
バックシート１２およびカバーシート１４が上述したような半透明性をもつことから、排泄水分によってインジケータ１９が変色すると、変色したインジケータ１９を紙おむつ１の外部から視認可能であり、外部から排泄の有無を認識することができる。
【００３５】
［１−２．詳細構成］
つぎに、図３を参照して、紙おむつ１の詳細な構成を述べる。
〈圧搾部〉
まず、長手方向および幅方向の双方に交差して圧搾された圧搾部４０（凹部，圧搾溝）を説明する。具体的には、少なくとも吸収体１０において、長手方向および幅方向の双方に交差する領域が圧搾されて形成された溝状の圧搾部４０を述べる。
圧搾部４０は、着用者への紙おむつ１のフィット性を高めるために延設される。
【００３６】
この圧搾部４０は、吸収体１０とセンターシート１１（図１および図２参照）とが厚み方向（積層方向）にプレス成形されて設けられる。具体的には、積層された吸収体１０およびセンターシート１１を所定の形状（パターン）の凸型で肌面側からプレス（圧縮）することで、吸収体１０あるいはセンターシート１１のプレス箇所における含有空気が圧搾され、吸収体１０にセンターシート１１が噛み合って固着した圧搾部４０が成形される。
【００３７】
すなわち、圧搾部４０は、厚み方向に凹設された凹部である。この圧搾部４０は、長手方向および幅方向の双方に対して交差するように線状（すなわち溝状）に延設される。なお、圧搾部４０は、吸収体１０のうち幅方向の端縁（端部領域）を除いて設けられている。
ここでの圧搾部４０には、長手方向に対して、幅方向一方（たとえば右方）に傾斜して交差する複数の第一傾斜部４１（一箇所のみに符号を付す）と、幅方向他方（たとえば左方）に傾斜して交差する複数の第二傾斜部４２（一箇所のみに符号を付す）とが設けられている。すなわち、これらの傾斜部４１，４２（圧搾線）は、平面視で格子形状（グリッドパターン）をなす。
【００３８】
上述した圧搾部４０によれば、圧搾部４０の延在箇所で吸収体１０あるいはセンターシート１１、延いては紙おむつ１が折れ曲がりやすくなり、着用者に対する紙おむつ１のフィット性が確保される。
ところが仮に、フィット性を確保するための構成として圧搾部４０だけが紙おむつ１に設けられている場合には、圧搾部４０を折り目とする方向へは折れ曲がりやすいものの、他の方向へは折れ曲がりにくく、着用者のフィット性が低下しうる。
【００３９】
〈追従部〉
そこで、本実施形態の紙おむつ１には、着用者へのフィット性を更に向上させるため、圧搾部４０に交差して延在する追従部５０（スリット部）が設けられている。
追従部５０は、紙おむつ１の着用者へのフィット用に設けられたものであり、フィット性を向上させる用途に特に適した構成である。そのため、装着状態での折り曲げが想定される所定の箇所に追従部５０が配置される。
この追従部５０は、少なくとも吸収体１０において他の領域よりも剛性の低い部位（領域）を含む。このことから、追従部５０には低剛性部が含まれている。
【００４０】
ここで説明する追従部５０の一部は、上述した傾斜部４１，４２どうしの交差箇所（交差する位置，交点）を含んで吸収体１０を厚み方向に貫通している。そのほか、少なくとも一部の追従部５０に対して圧搾部４０の一部が対称形状をなしている。ただし、追従部５０の配設箇所は、傾斜部４１，４２どうしの交差箇所を含んでいなくてもよい。
この追従部５０には、幅方向に沿う第一追従部５１（図３には左側のみに符号を付す）と、長手方向に沿う第二追従部５２（図３には前身頃１Ａ側のみに符号を付す）とが設けられる。
【００４１】
第一追従部５１（切欠部）は、装着状態において幅方向に沿う折り目で折り曲げられることが想定される箇所（長手方向位置）に配置される。
ここでは、三種の第一追従部５１が設けられる。具体的には、吸収体１０のうち長手方向の中央と、長手方向の中央よりも前身頃１Ａ側（一端側）と、長手方向の中央よりも後身頃１Ｃ側（他端側）とのそれぞれに第一追従部５１が設けられる。
【００４２】
ただし、第一追従部５１は、上述したように三箇所に配置されるものに限らず、長手方向において一箇所もしくは二箇所または四箇所以上に配置されてもよい。
これらの第一追従部５１は、紙おむつ１の股下部１Ｂにおいて、吸収体１０の幅方向端部が切り欠かれた状態に設けられている。なお、第一追従部５１よりも幅方向側方に上述した立体ギャザー１６（図１参照）が設けられる。
【００４３】
第二追従部５２は、装着状態において長手方向に沿う折り目で折り曲げられることが想定される箇所（幅方向位置）に配置される。図３には、前身頃１Ａおよび後身頃１Ｃのそれぞれで幅方向に並ぶ三つの第二追従部５２を例示する。ただし、前身頃１Ａおよび後身頃１Ｃのそれぞれにおいて、一つもしくは二つまたは四つ以上の第二追従部５２が並設されてもよい。
【００４４】
さらに、第二追従部５２には、吸収体１０の長手方向端部が切り欠かれた状態の切欠部５２１と、吸収体１０が切り抜かれた状態の細孔部５２２とが設けられている。言い換えれば、切欠部５２１と細孔部５２２とが長手方向に並び、これらの切欠部５２１および細孔部５２２が不連続に設けられている。
上述したような追従部５０の設けられた吸収体１０は、追従部５０に対応する形状に突設された部位をもつ雌型にパルプや高吸水性樹脂を積層することで形成することができる。あるいは、吸収体１０の一部を切り取ることで追従部５０を設けることもできる。
【００４５】
［２．作用および効果］
本実施形態の紙おむつ１は、上述したように構成されるため、下記のような作用および効果を得ることができる。
以下、圧搾部４０に関する作用および効果を述べ、その後に、追従部５０に関する作用および効果を述べる。
【００４６】
［２−１．圧搾部］
（１）圧搾部４０の延在箇所において、吸収体１０あるいはセンターシート１１、延いては紙おむつ１が折り曲がりやすくなり、着用者に対する紙おむつ１のフィット性を高めることができる。
また、溝状の圧搾部４０が成形された吸収体１０およびセンターシート１１を着用者の肌面に対して非接触とすることができ、装着状態における通気性を高め、紙おむつ１内部の蒸れを抑えることができる。
【００４７】
さらに、長手方向および幅方向の双方に交差して延在する圧搾部４０によって、たとえば毛細管現象によって排泄された液体を圧搾部４０に沿って拡散させることができる。したがって、長手方向および幅方向の双方へ排泄された液体の拡散性を向上させることができ、吸収体１０の吸水箇所を分散させることができる。よって、吸収体１０の吸水性を確保することができる。
【００４８】
（２）圧搾部４０において互いに異なる方向に傾斜する傾斜部４１，４２によれば、圧搾部４０が二方向に沿うことから、二方向に延びる折り目で紙おむつ１が折り曲がりやすくなり、着用者に対するフィット性を更に高めることができる。
また、傾斜部４１，４２によって圧搾部４０が二方向に沿うことから、紙おむつ１内部で二方向に通気させることで装着状態における通気性を更に高め、紙おむつ１内部の蒸れを確実に抑えることができる。
さらに、圧搾部４０が二方向に沿うことから、排泄された液体の拡散性を更に向上させることができ、吸収体１０の吸水性を高めることができる。すなわち、平面視で格子形状をなす傾斜部４１，４２によって、排泄された液体を効率よく拡散させ、吸収体１０の吸水効率を向上させることができる。
【００４９】
（３）そのほか、吸収体１０のうち幅方向の端縁（端部領域）を除いて圧搾部４０が設けられることから、排泄された液体が圧搾部４０を伝って幅方向外側に拡散したとしても、その拡散先の吸収体１０で排泄水分が吸収される。よって、排泄された液体の幅方向外側への漏れを確実に抑えることができる。
【００５０】
［２−２．追従部］
つぎに、追従部５０による作用および効果を述べる。
（１）圧搾部４０に交差して延在する追従部５０によれば、圧搾部４０以外の箇所で紙おむつ１が折れ曲がりやすくなり、着用者に対する紙おむつ１のフィット性を更に高めることができる。
よって、紙おむつ１を装着する着用者の快適性を向上させることができる。
【００５１】
（２）また、追従部５０によれば、少なくとも吸収体１０において他の領域よりも剛性が低い低剛性部を含むことから、追従部５０での折り曲げを構造的に促進させることができる。よって、紙おむつ１のフィット性を高め、着用者の快適性を向上させることができる。
【００５２】
（３）この追従部５０は、装着状態での折り曲げが想定される所定の箇所に配置されることから、その所定箇所で紙おむつ１が折れ曲がりやすくなる。逆に言えば、装着状態の紙おむつ１において折れ曲がり力が作用する箇所に追従部５０を配置することで、適切にフィット性を向上させることができる。
【００５３】
（４）長手方向における中央よりも前身頃１Ａ側において配置された追従部５０によれば、着用者の腹まわりに対する紙おむつ１のフィット性を確実に高めることができる。たとえば、前身頃１Ａにおいて長手方向に沿って配置された追従部５０（すなわち前身頃１Ａの第二追従部５２）の場合には、この追従部５０で吸収体１０が折り曲がりやすくなるので、腹まわりの曲面に沿って吸収体１０がカーブを描くように変形することができるためである。
また、長手方向における中央よりも後身頃１Ｃ側において配置された追従部５０によれば、着用者の臀部や腰まわりに対する紙おむつ１のフィット性を確実に高めることができる。たとえば、後身頃１Ｃにおいて長手方向に沿って配置された追従部５０（すなわち後身頃１Ｃの第二追従部５２）の場合には、この追従部５０で吸収体１０が折り曲がりやすくなるので、臀部や腰まわりの曲面に沿って吸収体１０がカーブを描くように変形することができるためである。
さらに、長手方向の中央に配置された追従部５０によれば、着用者の股間に対するフィット性を高めることができる。たとえば、股下部１Ｂにおいて幅方向に沿って配置された追従部５０（すなわち第一追従部５１）の場合には、この追従部５０で吸収体１０が折り曲がりやすくなるので、前身頃１Ａから後身頃１Ｃにかけて着用者の体の中心ラインの曲面に沿って吸収体１０がカーブを描くように変形することができるためである。
【００５４】
（５）本実施形態の追従部５０では、吸収体１０が厚み方向に貫通されることから、追従部５０においては吸収体１０の折れ曲がり抗力自体が発生しない。そのため、着用者に対する紙おむつ１のフィット性を確実に向上させることができる。
【００５５】
（６）たとえば、吸収体１０の幅方向端部を切り欠く第一追従部５１によれば、着用者の姿勢や脚の動作によって股下部１Ｂの吸収体１０を捩るように変形させる力が作用した際に、この変形力に応じて吸収体１０を変形させることができる。また、着用者の股間から臀部に亘る領域で円滑に吸収体１０を変形させることができる。よって、着用者の股間に対する紙おむつ１のフィット性を確実に向上させることができる。
また、第二追従部５２のうち吸収体１０の長手方向端部を切り欠く切欠部５２１によれば、着用者の腰や腹まわりの形状に追従して紙おむつ１を円滑に変形させることができる。よって、着用者の腹や腰まわりに対する紙おむつ１のフィット性を確実に向上させることができる。
【００５６】
（７）さらに、第二追従部５２のうち吸収体１０を切り抜く細孔部５２２によれば、吸収体１０において折れ曲がり応力が作用しやすいものの折れ曲がり難い箇所の折れ曲がり性を高めることができる。この点からも、着用者の腹や腰まわりに対する紙おむつ１のフィット性を確実に向上させることができる。
そのほか、切欠部５２１と細孔部５２２とが不連続に設けられることから、吸収体１０の捩れ（ヨレ）を抑制することができ、製造過程における吸収体の破断（損傷）の抑制にも寄与する。
【００５７】
（８）ところで、圧搾部４０の交差箇所は、圧搾部４０のなかでも硬くなりやすい。これに対して、圧搾部４０の交差箇所に追従部５０が設けられている。詳細に言えば、第一傾斜部４１と第二傾斜部４２との交差箇所には、前身頃１Ａおよび後身頃１Ｃにおいて第二追従部５２のうち幅方向中央の切欠部５２１および細孔部５２２が配置され、股下部１Ｂにおいて第一追従部５１が配置されている。そのため、圧搾部４０の交差箇所での硬化が抑えられ、着用者に対するフィット性の向上に寄与する。
そのほか、追従部５０に対して圧搾部４０が対称形状をなすことから、追従部５０が着用者の体の曲線に沿ってバランスよくカーブを描いて変形することができる。
【００５８】
［ＩＩ．第二実施形態］
つぎに、紙おむつの第二実施形態を述べる。
本実施形態の紙おむつでは、上述した追従部５０とは異なる箇所に追従部（スリット部）が配置されている。なお、ここで説明する点を除いては、第一実施形態と同様の構成である。これらの構成については、同様の符号を付し、詳細な説明は省略する。
【００５９】
［１．構成］
まず、図４を参照して、本実施形態の追従部５０′の構成を述べる。
追従部５０′は、上述した追従部５０と同様に、着用者へのフィット用に設けられたものであって、フィット性を向上させる用途に特に適した構成である。この追従部５０′は、装着状態での折り曲げが想定される所定の箇所において、圧搾部４０′に交差して延在する。また、追従部５０′には、幅方向に沿う第一追従部５１′（細孔部）と、長手方向に沿う第二追従部５２′（細孔部）とが設けられる。
【００６０】
第一追従部５１′は、上述した第一追従部５１とは異なり、吸収体１０′を切り抜いた状態に設けられている。
この第一追従部５１′は、紙おむつ１′の股下部１Ｂ′において幅方向中央に配置される。ここでは、吸収体１０′のうち長手方向の中央と、長手方向の中央よりも前身頃１Ａ′側（一端側）と、長手方向の中央よりも後身頃１Ｃ′側（他端側）とのそれぞれに第一追従部５１′が設けられる。ただし、第一追従部５１′は、上述したように長手方向において三箇所に配置されるのに限らず、長手方向において一箇所もしくは二箇所または四箇所以上に配置されてもよい。
【００６１】
第二追従部５２′は、上述した第二追従部５２の切欠部５２１に相当するものは設けられず、吸収体１０′を切り抜いた状態に設けられる。
この第二追従部５２′は、紙おむつ１′の前身頃１Ａ′および後身頃１Ｃ′のそれぞれに設けられる。図４には、前身頃１Ａ′および後身頃１Ｃ′のそれぞれで幅方向に並ぶ三つの第二追従部５２′を例示する。ただし、前身頃１Ａ′および後身頃１Ｃ′のそれぞれにおいて、一つもしくは二つまたは四つ以上の第二追従部５２′が並設されてもよい。
なお、第二追従部５２′は、上述した第二追従部５２とは異なり、長手方向に連続する線状に設けられている。
【００６２】
［２．作用および効果］
本実施形態の紙おむつ１′は、上述したように構成されるため、下記のような作用および効果を得ることができる。
本実施形態の追従部５０′では吸収体１０′が切り抜かれていることから、排泄された液体が追従部５０′を伝って幅方向外側へ拡散したとしても、その拡散先の吸収体１０′で排泄水分が吸収される。よって、排泄された液体の幅方向外側への漏れを確実に抑えることができる。
【００６３】
さらに、紙おむつ１′の股下部１Ｂ′に配置された第一追従部５１′によれば、着用者の股間から臀部に亘る領域で円滑に吸収体１０′を変形させることができる。また、紙おむつ１′の前身頃１Ａ′および後身頃１Ｃ′に配置された第二追従部５２′によれば、着用者の腰や腹まわりの形状に追従して紙おむつ１′を円滑に変形させることができる。このようにして、着用者の股間，腹や腰まわりに対する紙おむつ１′のフィット性を確実に向上させることができる。
そのほか、第一実施形態で上述した追従部５０の配設による作用および効果を除いて、第一実施形態と同様の作用および効果を得ることができる。
【００６４】
［ＩＩＩ．第三実施形態］
つぎに、紙おむつの第三実施形態を述べる。
本実施形態の紙おむつは、下記の構成Ａ〜Ｃが特定される。
・構成Ａ：吸収体において二種の追従部が交差して配置される
・構成Ｂ：高吸水性樹脂の含有度合いが吸収体の領域ごとに設定される
・構成Ｃ：センターシート（シート）が多層構造である
なお、本実施形態で説明する点を除いては、上述した第一実施形態または第二実施形態と同様の構成である。これらの構成については、同様の符号を付し、詳細な説明は省略する。
【００６５】
［１．構成］
まず、図５を参照して、本実施形態の紙おむつ１″に内蔵される吸収体１０″に関し、上記した構成ＡおよびＢを述べる。
〈構成Ａ〉
本実施形態の吸収体１０″には、幅方向に沿う第一追従部５１″と長手方向に沿う第二追従部５２″とが平面視で交差した追従部５０″が設けられている。
【００６６】
〈構成Ｂ〉
上記した追従部５０″は、吸収体１０″の端部（端縁）を除く領域に配置される。たとえば、吸収体１０″の幅方向端部領域ＲW（外領域）を除く領域に第一追従部５１″が延設される。また、吸収体１０″の長手方向端部領域（図示省略）を除く領域に第二追従部５１″が延設される。すなわち、吸収体１０″には、第一追従部５１″に対して幅方向端部側に幅方向端部領域ＲWが存在し、第二追従部５２″に対して長手方向端部側には長手方向端部領域（図示省略）が存在する。
【００６７】
ここでは、少なくとも第一追従部５１″に対して幅方向端部側に位置する幅方向端部領域ＲWにおける高吸水性樹脂の含有度合いが他の領域よりも高く設定されている。
たとえば、高吸水性樹脂の密度（含有度合い）は、幅方向端部領域ＲWのほうが他の領域よりも高く設定されている。ここでいう「密度」とは、吸収体１０″における単位体積あたりの高吸水性樹脂の質量である。あるいは、吸収体１０″における幅方向端部領域ＲWとその他の領域とのそれぞれにおける高吸水性樹脂の密度を等しく設定したうえで、幅方向端部領域ＲWを他の領域よりも厚くして、幅方向端部領域ＲWに含有される高吸水性樹脂の量（含有度合い）を他の領域に含有される高吸水性樹脂の量（含有度合い）よりも多く（大きく）設定してもよい。敷衍して言えば、平面視の吸収体１０″における単位面積当たりの高吸水性樹脂の含有量は、幅方向端部領域ＲWのほうが他の領域よりも大きく設定されている。
【００６８】
なお、高吸水性樹脂の含有度合いが高く設定される幅方向端部領域ＲWは、第一追従部５１″に対して幅方向端部側に位置する領域だけでなく、この領域と幅方向位置が重複するとともに長手方向位置が異なる他の領域を含んでいてもよい。
同様に、少なくとも第二追従部５２″に対して長手方向端部側に位置する長手方向端部領域における高吸水性樹脂の含有度合いは、他の領域よりも高く設定されていてもよい。
【００６９】
〈構成Ｃ〉
つぎに、図６を参照して、センターシート１１″に関する構成Ｃを述べる。
本実施形態のセンターシート１１″は、肌面側の配置された上層（第一層）１１ｕ″と、非肌面側に配置された下層（第二層）１１ｄ″とが少なくとも積層された多層構造をなしている。なお、上層１１ｕ″および下層１１ｄ″の少なくとも一方が更に多層構造であってもよい。この場合のセンターシート１１″は、三層以上の多層構造をなす。
【００７０】
このセンターシート１１″は、上層１１ｕ″と下層１１ｄ″とが部分的に結合されている。この結合部は、平面視で圧搾部４０に交差して延在する補助追従部１１０″を構成する。
補助追従部１１０″は、上述した追従部５０，５０′と同様に、紙おむつ１″の着用者へのフィット用に設けられている。補助追従部１１０″における上層１１ｕ″と下層１１ｄ″との結合手法としては、ホットメルト接着剤を用いた公知の接着手法やエンボス加工といったさまざまな公知の結合手法によって、上層１１ｕ″と下層１１ｄ″とが部分的に結合されている。
【００７１】
［２．作用および効果］
本実施形態の紙おむつ１″は、上述したように構成されるため、下記のような作用および効果を得ることができる。
〈構成Ａ〉
本実施形態の追従部５０″は、第一追従部５１″と第二追従部５２″とが平面視で交差して配置される。このことから、紙おむつ１″を装着する着用者から排泄された液体を圧搾部４０だけでなく追従部５０″によっても幅方向および長手方向の双方に拡散させることができる。また、二種の追従部５１″，５２″が異なる配向で設けられることから、圧搾部４０以外の箇所で紙おむつ１″が更に折れ曲がりやすくなり、着用者に対する紙おむつ１″のフィット性を確実に高めることができる。
【００７２】
〈構成Ｂ〉
さらに、第一追従部５１″に対して幅方向端部側に位置する幅方向端部領域ＲWにおける高吸水性樹脂の含有度合いは、他の領域よりも高く設定される。換言すれば、吸収体１０″では、紙おむつ１″を装着する着用者から排泄された液体が第一追従部５１″に沿って幅方向に拡散した先の領域に対応する幅方向端部領域ＲWにおいて、高吸水性樹脂の含有度合いが確保されている。そのため、幅方向に拡散した液体を吸収体１０″の高吸水性樹脂で確実に吸収することができる。これは、いわゆる横漏れ（幅方向への液体の漏出）を防ぐために有効である。
【００７３】
同様に、第二追従部５２″に対して長手方向端部側に位置する長手方向端部領域（図示省略）における高吸水性樹脂の含有度合いが高く設定されていれば、長手方向に拡散した液体を吸収体１０″の高吸水性樹脂で確実に吸収することができる。これは、いわゆる腹漏れや背漏れ（長手方向の液体の漏出）を防ぐために有効である。
【００７４】
なお、高吸水性樹脂の含有度合いが高く設定される幅方向端部領域ＲWに、第一追従部５１″に対して幅方向端部側に位置する領域と幅方向位置が重複するとともに長手方向位置が異なる他の領域も含まれている場合には、吸収体１０″の領域ごとに高吸水性樹脂の含有度合いを調節する製造工程を簡素化することができる。よって、紙おむつ１″の製造コストを低減させることに寄与する。
【００７５】
〈構成Ｃ〉
そのほか、センターシート１１″には、上層１１ｕ″と下層１１ｄ″とが部分的に結合された結合部が平面視で圧搾部４０に交差して延在する補助追従部１１０″が設けられる。このことから、吸収体１０″の追従部５０″だけでなく、センターシート１１″の補助追従部１１０″によっても紙おむつ１″を補助的に折れ曲がりやすくさせることができ、着用者に対する紙おむつ１″のフィット性の向上に寄与する。
【００７６】
［ＩＶ．その他］
最後に、その他の変形例について述べる。
たとえば、圧搾部は、少なくとも吸収体に設けられていればよく、センターシートに設けられていなくてもよい。この場合には、センターシートが積層される前に吸収体の一部が肌面側から圧搾されて、圧搾部が成形される。あるいは、吸収体の非肌面側に圧搾部が成形されてもよい。この場合には、非肌面側から少なくとも吸収体が圧搾されて、圧搾部が成形される。
【００７７】
また、圧搾部の平面視形状としては、格子形状に限らず、さまざまな形状を採用することができる。具体例を挙げれば、第一傾斜部または第二傾斜部は、少なくとも一方が単数であってもよいし、少なくとも一方を省略してもよい。更に言えば、第一傾斜部または第二傾斜部は、直線状のほか、曲線状であってもよいし、三角波や矩形波状であってもよい。このように他の平面視形状をなす圧搾部によっても、フィット性，通気性および吸水性を確保して、着用者の快適性を向上させることに寄与する。
【００７８】
追従部は、吸収体を貫通する形態に限らず、吸収体を凹設した溝状の溝状部を有してもよいし、追従部以外の領域よりも目付量（坪量）の抑えられた低目付領域（低坪量領域）を有していてもよい。この低目付領域には、吸収体が部分的に凹設された領域のほか、吸収体が凹設されずに平坦な領域（すなわち単位体積あたりの密度が他の領域よりも低い領域）が含まれる。これらのように種々の構成によって吸収体の一部（一領域）で剛性が低い追従部を用いてもよい。
また、追従部には、吸収体を貫通する部位，溝状の部位，低目付領域の部位といった形態をなす部位のうち少なくとも何れか一つの部位が断続的に設けられてもよいし、各形態の部位が混在して設けられてもよい。たとえば、第一追従部および第二追従部のうち、何れか一方には溝状の部位を適用し、何れか他方には低目付領域を適用することができる。あるいは、第一追従部および第二追従部のうち、何れか一方には第一実施形態〜第三実施形態で例示したように肉抜きされたスリットを適用し、何れか他方には低目付領域や溝状の部材を適用してもよい。
【００７９】
そのほか、追従部の延在方向は、少なくとも圧搾部の延在方向に対して交差する方向であればよい。また、追従部は、その延在方向に直交する方向の太さ寸法（平面視における太さ）が任意に設定される。たとえば、第一追従部の太さ寸法と第二追従部の太さ寸法とは等しくてもよいし、互いに相異していてもよい。
このように、溝状の部位や低目付領域を有する追従部によっても、上述した追従部５０，５０′と同様に、紙おむつのフィット性を高めて着用者の快適性を向上させることができる。
【００８０】
あるいは、上層吸収体と下層吸収体とが積層されて吸収体が構成されていてもよい。この場合には、上層吸収体および下層吸収体の少なくとも何れか一方に追従部が設けられる。たとえば、着用者の肌に面する上層吸収体には追従部を形成せず、非肌面側の下層吸収体だけに追従部を形成する場合には、追従部によって吸収体に形成される段差による着用者の違和感を防ぐことができる。また、上層吸収体および下層吸収体の双方に追従部を形成する場合には、上層吸収体の追従部と下層吸収体の追従部とを個別に配置（たとえば平面視で交互に配置）することにより、吸収体のさまざまな折れ曲がり状態に対応することができる。そのうえ、吸収体の型崩れや破断（千切れること）を抑えることもできる。
なお、圧搾部は、上層吸収体および下層吸収体を重ねてから成形してもよいし、上層吸収体および下層吸収体の少なくとも何れか一方に成形してもよい。
【００８１】
さらに、平面視で追従部の延在方向とは異なる方向に沿う補助追従部を追従部に連設してもよい。この補助追従部は、圧搾部の延在方向に延びていてもよいし、圧搾部の延在方向と交差して延びていてもよい。このような補助追従部を増設することで、紙おむつのフィット性を更に高め、着用者の快適性を確実に向上させることができる。
【符号の説明】
【００８２】
１    紙おむつ（吸収性物品）
１Ａ    前身頃
１Ｂ    股下部
１Ｃ    後身頃
１０    吸収体
１１    センターシート（シート）
１２    バックシート
１３    サイドシート
１４    カバーシート
１５    ギャザー
１６    立体ギャザー
１７    タミーギャザー
１８    セカンド立体ギャザー
１９    インジケータ
２０    糸ゴム（伸縮性部材）
２１    第一糸ゴム
２２    第二糸ゴム
２３    第三糸ゴム
３０    インジケータ
４０    圧搾部（凹部）
４１    第一傾斜部
４２    第二傾斜部
５０    追従部（低剛性部，スリット部）
５１    第一追従部（切欠部）
５２    第二追従部
５２１    切欠部
５２２    細孔部
５０′    追従部（スリット部）
５１′    第一追従部（細孔部）
５２′    第二追従部（細孔部）
Ｃ    中心線
【図１】
2018110853.tif 000003
【図２】
2018110853.tif 000004
【図３】
2018110853.tif 000005
【図４】
2018110853.tif 000006
【図５】
2018110853.tif 000007
【図６】
2018110853.tif 000008
【手続補正書】
【提出日】平成30年4月24日(2018.4.24)
【手続補正１】
【補正対象書類名】特許請求の範囲
【補正対象項目名】全文
【補正方法】変更
【補正の内容】
【特許請求の範囲】
【請求項１】
吸水性をもつマット状の吸収体を備えた吸収性物品において、
前記吸収体に設けられ、平面視で長手方向および幅方向の双方に交差して圧搾された溝状の圧搾部と、
前記吸収体に設けられ、平面視で前記圧搾部に交差して延在する着用者へのフィット用の複数の追従部とを備え、
前記追従部は、前記幅方向に沿う第一追従部と前記長手方向に沿う第二追従部とを有し、平面視で前記第一追従部と前記第二追従部とが交差して設けられた
吸収性物品。
【請求項２】
前記追従部は、他の領域よりも剛性が低い低剛性部を有する
請求項１に記載された吸収性物品。
【請求項３】
前記追従部は、着用者への装着時に折り曲げられることが想定される所定の箇所に配置された
請求項１または２に記載された吸収性物品。
【請求項４】
前記追従部は、前記長手方向の中央よりも一端側に配置された
請求項１〜３の何れか１項に記載された吸収性物品。
【請求項５】
前記追従部は、前記長手方向の中央よりも他端側に配置された
請求項４に記載された吸収性物品。
【請求項６】
前記追従部は、前記長手方向の中央に配置された
請求項１〜５の何れか１項に記載された吸収性物品。
【請求項７】
前記追従部は、溝状の溝状部を有する
請求項１〜６の何れか１項に記載された吸収性物品。
【請求項８】
前記追従部は、前記吸収体を厚み方向に貫通するスリット部を有する
請求項１〜７の何れか１項に記載された吸収性物品。
【請求項９】
前記追従部は、前記追従部以外の領域よりも目付量の抑えられた低目付領域を有する
請求項１〜８の何れか１項に記載された吸収性物品。
【請求項１０】
前記圧搾部は、平面視で前記長手方向および前記幅方向に対して、一方に傾斜して交差する第一傾斜部と、他方に傾斜して交差する第二傾斜部とを有する
請求項１〜９の何れか１項に記載された吸収性物品。
【請求項１１】
前記第一傾斜部および前記第二傾斜部の少なくとも一方が複数設けられた
請求項１０に記載された吸収性物品。
【請求項１２】
一または複数の前記追従部は、平面視で前記第一傾斜部と前記第二傾斜部とが交差する位置を含むように設けられた、
請求項１０または１１に記載された吸収性物品。
【請求項１３】
前記吸収体が上層吸収体と下層吸収体とが積層されて構成されており、前記追従部が前記上層吸収体および前記下層吸収体の少なくとも何れか一方に設けられている
請求項１〜１２の何れか１項に記載された吸収性物品。
【請求項１４】
前記吸収体は、前記追従部に対して前記幅方向の外側に位置する外領域のほうが他の領域よりも吸収性樹脂の含有度合いが大きい
請求項１〜１３の何れか１項に記載された吸収性物品。
【請求項１５】
前記吸収体に対して積層され、第一層および第二層を少なくとも有するシートを備え、
前記シートは、前記第一層と前記第二層とを部分的に結合した箇所が平面視で前記圧搾部に交差して延在する、着用者へのフィット用の補助追従部を有する
請求項１〜１４の何れか１項に記載された吸収性物品。
【手続補正２】
【補正対象書類名】明細書
【補正対象項目名】０００６
【補正方法】変更
【補正の内容】
【０００６】
ここで開示する吸収性物品は、吸水性をもつマット状の吸収体を備える。前記吸収体には、平面視で長手方向および幅方向の双方に交差して圧搾された溝状の圧搾部と、平面視で前記圧搾部に交差して延在する着用者へのフィット用の複数の追従部とが設けられる。前記追従部は、前記幅方向に沿う第一追従部と前記長手方向に沿う第二追従部とを有し、平面視で前記第一追従部と前記第二追従部とが交差して設けられる。